(57)【要約】【課題】ペットボトルに代替して各種の清涼飲料に使用してペットボトルと同様なリキャップ性を確保することができる清涼飲料容器を提供する。【解決手段】カップ形容器本体１０ａの一体の蓋１０ｂにそれぞれ封止孔とした２箇所のストロー孔１１，１２を設けて，該ストロー孔１１，１２に添付のストロー２０の長手方向両端部を気密に挿入することによって上記外部と連通するストロー孔を同時に塞いで容器１０を封止することによって，容器１０が揺動や振動を受けたり，転倒しても容器１０に充填した清涼飲料が流出又は漏出するのを防止するとともにストロー２０の長手方向一方端部を抜脱することによってストロー２０による飲用を可能として，リキャップ性を確保して携帯持参して必要な量を多数回に分けて飲用可能とする清涼飲料用容器１０とする。【選択図】　　　　図２
2004026211.tif 000002
【特許請求の範囲】
【請求項１】
ストローの長手方向両端部を気密に挿入することによって転倒時の流出防止をなし得る程度に密封閉塞自在とし且つ上記ストローの長手方向一方端部を抜脱することによって該ストローの一方端部から飲用を自在とした清涼飲料用の容器であって，該容器が外部と連通する２箇所のストロー孔とこれら２箇所のストロー孔を一連に繋ぐように挿入して該ストロー孔を同時に密封閉塞自在とした飲用兼密封用のストローを備えてなることを特徴とする清涼飲料等の容器。
【請求項２】
上記容器における２箇所のストロー孔をそれぞれストロー差込によって破断挿入自在の封止孔とし且つ上記ストローを容器に取外し自在に包装添付して一体的に配置してなることを特徴とする請求項１に記載の清涼飲料等の容器。
【請求項３】
上記容器における２箇所のストロー孔に長手方向両端部を気密に挿入するとともに少なくともその一方端部をそのストロー孔に挿脱自在として上記ストローを容器に一体的に配置してなることを特徴とする請求項１に記載の清涼飲料等の容器。
【請求項４】
上記容器における２箇所のストロー孔の一方に上記ストローの長手方向一方端部を挿入し長手方向他方端部を密封するとともにストロー孔の他方をストロー差込によって破断挿入自在のシール封止孔として上記ストローを容器に一体的に配置してなることを特徴とする請求項１に記載の清涼飲料等の容器。
【発明の詳細な説明】
【０００１】
【発明の属する技術分野】
本発明は，清涼飲料を充填して飲用に供する清涼飲料等の容器に関する。
【０００２】
【従来の技術及び発明が解決しようとする課題】
各種清涼飲料の容器としてペットボトル，缶，プラスチックカップ等各種の容器が用いられているが，例えば５００ミリリットルのペットボトル容器は着脱自在のキャップがあることによって，他の容器が確保し難いリキャップ性を確保でき，例えば携帯することによって必要な量を多数回に分けて飲用できるという特徴を具備したものとなり，例えば水筒の代りに使用されるといったように一気に普及し，その使用量が他の容器に比して優位となる傾向がある。
【０００３】
しかし，例えばこの５００ミリリットルのペットボトル容器は，ボトル状容器の上端を狭めることによって飲み口とし，その先端にキャップを螺装することによってリキャップ性を確保した構造のものとされており，この構造から制約を受けることによって容器の形状やデザインが固定化したものとなり，容器によって商品の個性や特徴を出し難い状況になっている。
【０００４】
本発明は，ペットボトル容器に見られる優れた特徴であるリキャップ性を確保するとともに形状やデザインの多様性を確保することができ，ペットボトルに代替して各種清涼飲料に使用できるようにした清涼飲料等の容器を提供することをもってその解決課題とするものである。
【０００５】
【課題を解決するための手段】
請求項１に記載の発明は，清涼飲料等の容器を，ストローの長手方向両端部を気密に挿入することによって転倒時の流出防止をなし得る程度に密封閉塞自在とし且つ上記ストローの長手方向一方端部を抜脱することによって該ストローの一方端部から飲用を自在とした清涼飲料用の容器であって，該容器が外部と連通する２箇所のストロー挿入孔とこれら２箇所のストロー挿入孔を一連に繋ぐように挿入して該ストロー挿入孔を同時に密封閉塞自在とした飲用兼密封用のストローを備えた構成としたものである。
【０００６】
請求項２に記載の発明は，上記清涼飲料等の容器を，その容器における２箇所のストロー孔をそれぞれストロー差込によって破断挿入自在の封止孔とし且つ上記ストローを容器に取外し自在に包装添付して一体的に配置した形態としたものである。
【０００７】
請求項３に記載の発明は，上記清涼飲料等の容器を，その容器における２箇所のストロー孔に長手方向両端部を気密に挿入するとともに少なくともその一方端部をそのストロー孔に挿脱自在として上記ストローを容器に一体的に配置した形態としたものである。
【０００８】
請求項４に記載の発明は，上記清涼飲料等の容器を，その容器における２箇所のストロー孔の一方に上記ストローの長手方向一方端部を挿入し長手方向他方端部を密封するとともにストロー孔の他方をストロー差込によって破断挿入自在のシール封止孔として上記ストローを容器に一体的に配置した形態としたものである。
【０００９】
【作用】
請求項１に記載の発明は，容器の２箇所のストロー孔にストロー長手方向両端部を気密に挿入することによって外部と連通するストロー孔が同時に塞がれて封止され，密封閉塞状態となることによって，容器が揺動や振動を受けたり，転倒しても容器に充填した清涼飲料が流出又は漏出するのを防止でき，またストローの長手方向一方端部を抜脱することによってストローによる飲用が可能となるから，形状やデザインに捉われずに上記ストローによって容器のリキャップ性を確保することができ，各種清涼飲料に使用できるとともに携帯持参して必要な量を多数回に分けて飲用可能な容器となる。
【００１０】
請求項２，３，４に記載の発明は，それぞれ容器にストローを一体的に配置することによって清涼飲料の商品価値を高めて容器の使い勝手を向上する形態となる。
【００１１】
【発明の実施の形態】
図１，２及び３において１０は，例えば清涼飲料を充填した清涼飲料用容器，２０はストローを示してあり，該清涼飲料用容器１０は，例えば縦長カップの形状の容器本体１０ａと，その開口を閉塞するように容器本体１０ａ上端に一体の蓋１０ｂを備えた密封蓋付き広口の容器としてある。この容器１０は，緑茶，ウーロン茶，コーヒー等の各種清涼飲料を充填し店頭販売することによって，その購入者の飲用に供するように使用するものとされる。
【００１２】
清涼飲料用容器１０は，ストロー２０の長手方向両端部を気密に挿入することによって転倒時の流出防止をなし得る程度に密封閉塞自在とし且つ上記ストロー２０の長手方向一方端部を抜脱することによって該ストロー２０の一方端部から飲用を自在とした清涼飲料用であって，該容器１０が外部と連通する２箇所のストロー孔１１，１２とこれら２箇所のストロー孔１１，１２を一連に繋ぐように挿入して該ストロー孔１１，１２を同時に密封閉塞自在とした飲用兼密封用のストロー２０を備えた構成としてある。
【００１３】
該清涼飲料用容器１０は，例えば防水系の紙，樹脂，金属等適宜材料の単体又は複合材を上記広口の容器とするように必要な加工を施して形成してある。このとき該清涼飲料用容器１０における上記容器本体１０上端の一体の蓋１０ｂは，上記適宜材料の単体又は複合材を用いて形成し，容器本体１０ａに清涼飲料を充填後にこの容器本体１０ａの開口を閉塞するように，容器本体１０ａに熱溶着等の接着手段によって容器本体１０ａに一体化し，容器１０を密封蓋付きのものとするようにしてある。
【００１４】
清涼飲料用容器１０は，本例においてその一体の蓋１０ｂに上記２箇所のストロー孔１１，１２を配置してあるが，この２箇所のストロー孔１１，１２は，それぞれストロー２０差込によって破断挿入自在の封止孔としてあり，またこのとき上記ストロー２０は，これを容器１０に取外し自在に包装添付して一体的に配置してある。
【００１５】
ストロー孔１１，１２の封止孔は，例えば蓋１０ｂに透孔を形成し，これを別途配置した，例えば樹脂フィルムと金属箔の積層材等のシール材で塞ぐことにより，上記ストロー２０差込によって破断挿入自在とすること，容器１０に複合材の積層材を用いたときその表層材料部分を剥離除去し，露出した残余の樹脂フィルム等により，同じく上記ストロー２０差込によって破断挿入自在とすること，あるいは蓋１０ｂに形成した透孔に対して封止孔を備えたキャップ状部材を嵌め込んで，同じく上記ストロー２０差込によって破断挿入自在とすることができる。図示したものは上記表層材料部分を剥離除去して残余の樹脂フィルムと金属箔の積層材による封止孔を形成配置した例とした。
【００１６】
ストロー２０は，清涼飲料用容器１０の上記所定位置に形成したストロー孔１１，１２に長手方向両端部を挿入し，その一方端部を抜脱して充填した清涼飲料を飲用するに必要且つ充分な長さを備え，例えば長手方向中間に無方向的に折曲をなし得るように蛇腹部を形成配置したものを用いて，これを蛇腹部で折返した状態で透明樹脂袋２１に封入し，該袋２１を清涼飲料用容器１０，特にその容器本体１０ａに，例えば熱溶着によって接着し，該容器１０に取外し自在に包装添付して一体的な配置を行ったものとしてある。
【００１７】
従ってストロー２０をその包装のまま容器１０から取り外し，包装を解いてストロー２０の一方端部を２箇所のうち吸引用一方のストロー孔１１又は１２に，他方端部を密封閉塞用他方のストロー孔１２又は１１にそれぞれ差込んでそれぞれ封止孔を破断挿入して該ストロー孔１１，１２に気密に挿入することによって清涼飲料用容器１０の密封閉塞と一方のストロー孔１１又は１２から飲用側端部を抜脱することによって該ストロー２０による飲用を可能とする，リキャップ性を備えた清涼飲料用容器１０とすることができる。
【００１８】
図中１３はストロー２０によって容器１０を密封閉塞するときに該容器１０に長手方向両端部を挿入したストロー２０を覆って，容器１０の外観を向上し，その携帯に際してストロー２０の外れ等を防止するように容器１０に設置したオーバーキャップである。
【００１９】
また図４及び図５は他の例を示しており，これらは上記例とはいずれも容器１０の形状を変更し，図４においては円筒乃至角筒状の容器１０を用い，図５においては牛乳パック状の容器１０を用いることによって同様にストロー２０による密封閉塞と飲用を行うようにした例である。
【００２０】
以上に図示した例以外に，容器とストローの関係について，その容器における２箇所のストロー孔に長手方向両端部を気密に挿入するとともに少なくともその一方端部をそのストロー孔に挿脱自在として上記ストローを容器に一体的に配置した形態とすること，またその容器における２箇所のストロー孔の一方に上記ストローの長手方向一方端部を挿入し長手方向他方端部を密封するとともにストロー孔の他方をストロー差込によって破断挿入自在のシール封止孔として上記ストローを容器に一体的に配置した形態とすることも可能である。ストロー孔のストロー挿入やストローの破断挿入を容器又は容器本体のストロー孔を囲むように設置したクッション材によって更に高気密状態に行って密封閉塞性を高度化するようにすることも可能である。容器の形成は樹脂の射出成形，金属の多段プレス成形と蓋固定，積層材の折曲及び接着固定のようにそれぞれの材料に応じた加工手段を用いることができる。
【００２１】
【発明の効果】
請求項１に記載の発明は，容器の２箇所のストロー孔にストロー長手方向両端部を気密に挿入することによって外部と連通するストロー孔が同時に塞がれて封止され，密封閉塞状態となることによって，容器が揺動や振動を受けたり，転倒しても容器に充填した清涼飲料が流出又は漏出するのを防止でき，またストローの長手方向一方端部を抜脱することによってストローによる飲用が可能となるから，形状やデザインに捉われずに上記ストローによって容器のリキャップ性を確保することができ，各種清涼飲料に使用できるとともに携帯持参して必要な量を多数回に分けて飲用可能にして，ペットボトルに代替して同様なリキャップ性を備えた清涼飲料等の容器を提供することができ，請求項２，３，４に記載の発明は，それぞれ容器にストローを一体的に配置することによって清涼飲料の商品価値を高めて容器の使い勝手を向上する形態とすることができる。
【図面の簡単な説明】
【図１】清涼飲料用容器の斜視図である。
【図２】清涼飲料用容器の密封閉塞状態を示す縦断面図である。
【図３】清涼飲料用容器の飲用状態を示す縦断面図である。
【図４】他の例の清涼飲料用容器の縦断面図である。
【図５】他の例の清涼飲料用容器の縦断面図である。
【符号の説明】
１０　清涼飲料用容器
１０ａ　容器本体
１０ｂ　蓋
１１　ストロー孔
１２　ストロー孔
１３　オーバーキャップ
２０　ストロー
２１　透明樹脂袋
【図１】
2004026211.tif 000003
【図２】
2004026211.tif 000004
【図３】
2004026211.tif 000005
【図４】
2004026211.tif 000006
【図５】
2004026211.tif 000007